(57)【特許請求の範囲】
【請求項１】
建築物のアスベスト含有壁を除去して回収する前記アスベスト含有壁の除去方法であって、
前記建築物の外壁面と養生シートとで密閉された隔離空間を形成する隔離工程と、
作業員が前記養生シートの外側から前記隔離空間に対して高圧水を噴射可能な湿式除去手段及び固液混合物を吸引可能な吸引手段を通過させて導入する導入工程と、
前記養生シートの外側にいる作業員が前記隔離空間に導入された前記湿式除去手段を用いて前記アスベスト含有壁に前記高圧水を噴射して前記アスベスト含有壁を削り取る切削工程と、
前記高圧水と削り取られた前記アスベスト含有壁とが混ざった水含有処理材を前記吸引手段に誘導し収集する収集工程と、
前記吸引手段により前記水含有処理材を吸引して回収する吸引回収工程と、を有している、
アスベスト含有壁の除去方法。
【請求項２】
前記隔離空間を前記吸引手段により負圧とする、
請求項１に記載のアスベスト含有壁の除去方法。
【請求項３】
前記建築物の前記外壁面から間隔をあけて足場が設けられ、
前記足場の前記外壁面側に前記養生シートが固定されている、
請求項１又は請求項２に記載のアスベスト含有壁の除去方法。
【請求項４】
前記導入工程において、前記養生シートに貫通用の穴を形成し、該穴に前記湿式除去手段及び前記吸引手段を導入し、
前記穴と、前記湿式除去手段及び前記吸引手段と、の隙間が塞がれる、
請求項１乃至３のいずれか１項に記載のアスベスト含有壁の除去方法。
【請求項５】
建築物のアスベスト含有壁を除去して回収するアスベスト含有壁除去システムであって、
前記建築物の外壁面との間に密閉された隔離空間を形成する養生シートと、
前記隔離空間に導入され、高圧水を噴射可能な湿式除去手段と、
前記噴射された前記高圧水と前記高圧水により切削された前記アスベスト含有壁とが混ざった水含有処理材を受けて溜める処理材収集部と、
前記隔離空間に導入され、前記処理材収集部に溜まった水含有処理材を吸引して回収する吸引手段と、を備え、
前記養生シートには、前記湿式除去手段及び前記吸引手段を前記養生シートの外側から前記隔離空間に導入するために開閉状態とされる穴が形成可能に設けられ、
前記養生シートの外側には、前記隔離空間に導入した前記湿式除去手段及び前記吸引手段を操作する作業員が配置される作業領域を有する、
アスベスト含有壁除去システム。
【発明の詳細な説明】
【技術分野】
【０００１】
本発明は、アスベスト含有壁の除去方法及びアスベスト含有壁除去システムに関する。
【背景技術】
【０００２】
従来、建築物の壁面等に含まれるアスベスト等の有害物質を除去する方法が発明されている。
【０００３】
特許文献１には、エレベータの昇降路内の壁面又は鉄骨に付着させられた被覆材を除去する方法について記載されている。
【０００４】
特許文献１に記載されている被覆材除去方法は、エレベータのかご上に１階分の高さのフレームを組み、１階分の高さの壁面又は鉄骨をカバー部で覆い、カバー部で覆われた空間を負圧とする。カバー部の外側の作業者が、カバー部に形成された作業部を介して、カバー部で覆われた空間に導入された工具を操作し、エレベータの昇降路内の壁面又は鉄骨に付着させられた被覆材を除去する。除去された被覆材は、カバー部の下方に接続された収納部に収納される。
【先行技術文献】
【特許文献】
【０００５】
【特許文献１】特開２００９−１１３９８６号公報
【発明の概要】
【発明が解決しようとする課題】
【０００６】
特許文献１に記載されている被覆材除去方法は、１階分の作業毎にカバー部と壁面との間の空間を形成し直さなくてはならず、施工範囲が広範囲となる場合には手間がかかってしまう。
【０００７】
上記事情を踏まえ、本発明は、施工効率を向上させることで、施工にかかる手間や時間を低減できるアスベスト含有壁の除去方法及びアスベスト含有壁除去システムを提供することを目的とする。
【課題を解決するための手段】
【０００８】
本発明は、建築物のアスベスト含有壁を除去して回収する前記アスベスト含有壁の除去方法であって、前記建築物の外壁面と養生シートとで密閉された隔離空間を形成する隔離工程と、作業員が前記養生シートの外側から前記隔離空間に対して高圧水を噴射可能な湿式除去手段及び固液混合物を吸引可能な吸引手段を通過させて導入する導入工程と、前記養生シートの外側にいる作業員が前記隔離空間に導入された前記湿式除去手段を用いて前記アスベスト含有壁に前記高圧水を噴射して前記アスベスト含有壁を削り取る切削工程と、前記高圧水と削り取られた前記アスベスト含有壁とが混ざった水含有処理材を前記吸引手段に誘導し収集する収集工程と、前記吸引手段により前記水含有処理材を吸引して回収する吸引回収工程と、を有していることを特徴とする。
また、本発明は、前記導入工程において、前記養生シートに貫通用の穴を形成し、該穴に前記湿式除去手段及び前記吸引手段を導入し、前記穴と、前記湿式除去手段及び前記吸引手段と、の隙間が塞がれることを特徴としてもよい。
【０００９】
本発明によれば、アスベスト含有壁が、隔離された空間において、湿式除去手段から噴射された高圧水により削り取られるため、広範囲のアスベスト含有壁が素早く削り取られる。また、高圧水と削り取られたアスベスト含有壁とが混ざった水含有処理材が、吸引手段に誘導され、吸引手段により吸引されるため、大量の水含有処理材を素早く、かつ確実に回収することができる。したがって、本発明では、アスベスト含有壁の除去作業を効率よく行うことができ、施工にかかる手間や時間を低減することができる。
【００１０】
本発明のアスベスト含有壁の除去方法は、前記隔離空間を前記吸引手段により負圧としてもよい。
【００１１】
本発明によれば、隔離空間内で削り取られたアスベスト含有壁の処理材が隔離空間外に飛散することを抑制できる。
【００１２】
本発明のアスベスト含有壁の除去方法は、前記建築物の前記外壁面から間隔をあけて足場が設けられ、前記足場の前記外壁面側に前記養生シートが固定されてもよい。
【００１３】
本発明によれば、建築物の高層部のアスベスト含有壁の除去ができ、さらに養生シートが動くことを防止でき作業性が向上する。
【００１４】
本発明のアスベスト含有壁除去システムは、建築物のアスベスト含有壁を除去して回収するアスベスト含有壁除去システムであって、前記建築物の外壁面との間に密閉された隔離空間を形成する養生シートと、前記隔離空間に導入され、高圧水を噴射可能な湿式除去手段と、前記噴射された前記高圧水と前記高圧水により切削された前記アスベスト含有壁とが混ざった水含有処理材を受けて溜める処理材収集部と、前記隔離空間に導入され、前記処理材収集部に溜まった水含有処理材を吸引して回収する吸引手段と、を備え、前記養生シートには、前記湿式除去手段及び前記吸引手段を前記養生シートの外側から前記隔離空間に導入するために開閉状態とされる穴が形成可能に設けられ、前記養生シートの外側には、前記隔離空間に導入した前記湿式除去手段及び前記吸引手段を操作する作業員が配置される作業領域を有することを特徴とする。
【００１５】
本発明によれば、アスベスト含有壁が、養生シートで隔離された空間において、湿式除去手段から噴射された高圧水により削り取られるため、広範囲のアスベスト含有壁が素早く削り取られる。また、高圧水と削り取られたアスベスト含有壁とが混ざった水含有処理材が、防水漕により吸引手段に誘導され、吸引手段により吸引されるため、大量の水含有処理材を素早く、かつ確実に回収することができる。したがって、本発明では、アスベスト含有壁の除去作業を効率よく行うことができ、施工にかかる手間や時間を低減することができる。
【発明の効果】
【００１６】
本発明のアスベスト含有壁の除去方法及びアスベスト含有壁除去システムは、施工効率を向上させることで、施工にかかる手間や時間を低減できる。
【図面の簡単な説明】
【００１７】
【図１】本発明の一実施形態に係るアスベスト含有壁の除去方法を示す正面図である。
【図２】同平面図である。
【図３】同正面図の一部拡大図である。
【発明を実施するための形態】
【００１８】
以下、本発明の一実施形態について、図１から図３を参照しながら説明する。
本発明の一実施形態に係るアスベスト含有壁の除去方法及びアスベスト含有壁除去システム１は、建築物のアスベスト含有壁を切削して除去し、さらに回収するための方法及びシステムである。
【００１９】
図１、図２は、本発明の一実施形態に係るアスベスト含有壁の除去方法におけるアスベスト含有壁Ｗの隔離工程、ウォータージェット２及びバキュームカー４の吸引ホース４ａの導入工程、及び高圧水Ｗａを噴射してアスベスト含有壁Ｗを削り取る切削工程を示している。図１では、建築物Ｂの外壁面に設けられているアスベスト含有壁Ｗは、コンクリート壁に下地としてアスベストが塗布され、そのアスベスト塗布面上に塗料が塗布されている。このため、塗料の剥離・除去に当たっては下地のアスベストの塗布層を含んで除去される。また、除去物中にはアスベストが含まれているために、廃棄物としての除去物は、法規制により、排出されてから処理されるまでの間、常に注意して取り扱うこととされている「特別管理産業廃棄物」、いわゆる「特管物」として扱われる。以下、各工程を順に説明する。
【００２０】
（隔離工程）
アスベスト含有壁の除去方法では、図１、図２に示すように、先ず、建築物Ｂのアスベスト含有壁Ｗを、例えばビニールシート５（養生シート）で外壁面から間隔を空けた状態で覆い隔離して密閉する。
【００２１】
図１、図２に示すように、ビニールシート５は、例えば縁が建築物Ｂに接着され、建築物Ｂに固定される。例えば、ビニールシート５の上端縁５ａが、建築物Ｂの上面と接着され、ビニールシート５が建築物Ｂの外周全体を覆うように設置される。
【００２２】
ビニールシート５と建築物Ｂとが密着した部分は、シール部５Ｓとなり、ビニールシート５で覆われた隔離空間ＩＳに気密性を付与する。シール部５Ｓは、例えば、ビニールシート５と建築物Ｂとをブチルテープ等で接着させることで形成されてもよく、当て木と建築物Ｂとでビニールシート５を挟み、当て木とビニールシート５と建築物Ｂとに釘等を打ち込んで固定して形成されてもよい。
【００２３】
ビニールシート５の下端縁５ｂは、同様にして、建築物Ｂの下方の周縁に設置される後述の防水漕５Ｒと接着される。このようにして、建築物Ｂのアスベスト含有壁Ｗが隔離される。
【００２４】
（導入工程）
次に、ビニールシート５で覆われた隔離空間ＩＳに、高圧水を噴射可能な湿式除去手段として例えばウォータージェット２の噴射ノズル２ｏを導入し、固液混合物や気体を吸引可能な吸引手段として例えばバキュームカー４（吸引手段）の吸引ホース４ａの吸引口４ｓを導入する。
【００２５】
噴射ノズル２ｏ及び吸引口４ｓの導入は、例えば、ビニールシート５を切開して穴Ｈを形成し、穴Ｈに噴射ノズル２ｏ及び吸引口４ｓを通して行われる。吸引口４ｓは、後述する防水漕５Ｒの底部に接触するように導入される。穴Ｈと噴射ノズル２ｏ及び吸引口４ｓとの隙間は、例えばブチルテープ等を用いて塞がれる。噴射ノズル２ｏ及び吸引口４ｓの導入するための穴Ｈは、ビニールシート５に予め設けたファスナー等を開放して形成してもよい。
【００２６】
（切削工程）
次に、ウォータージェット２から放出される高圧水Ｗａを用いて、建築物Ｂのアスベスト含有壁Ｗを切削する。
【００２７】
アスベスト含有壁Ｗの切削は、ウォータージェット２を手に持った作業員Ｍが、ウォータージェット２の噴射ノズル２ｏを切削対象箇所に向け、噴射ノズル２ｏから切削対象箇所に向けて高圧水Ｗａを吹き付け、高圧水Ｗａの圧力でアスベスト含有壁Ｗを削ることにより行われる。
【００２８】
ウォータージェット２への高圧水Ｗａの供給は、高圧水供給ホース３ａを介して高圧水生成車３から行われる。
【００２９】
ウォータージェット２の噴射ノズル２ｏは、ビニールシート５に形成した穴Ｈの縁とブチルテープ等を介して接着されている。しかし、ビニールシート５は柔軟性を有しているため、噴射ノズル２ｏは固定されず、作業員Ｍが操作することで噴射ノズル２ｏの向きは自由に変えられる。そのため、一つの穴Ｈを形成することで、その周辺の広範囲のアスベスト含有壁Ｗを切削することができる。
【００３０】
作業員Ｍは、一つの穴Ｈの周辺のアスベスト含有壁Ｗの切削が完了すると、ウォータージェット２からの放水を停止し、穴Ｈから噴射ノズル２ｏを引き抜く。噴射ノズル２ｏを引き抜いた後の穴Ｈは、例えばブチルテープ等で塞がれる。
【００３１】
作業員Ｍは、穴Ｈを塞いだ後、建築物Ｂの周囲を囲んで組立られた足場Ｆをつたい、ウォータージェット２の高圧水Ｗａが届かずにアスベスト含有壁Ｗが切削できていない箇所に移動する。
【００３２】
このような導入工程と切削工程が繰り返され、建築物Ｂ全体のアスベスト含有壁Ｗが切削される。なお、建築物Ｂの上方から下方に向かってアスベスト含有壁Ｗの切削対象箇所を移動させていくことで、効率的にアスベスト含有壁Ｗの切削を行うことができる。
【００３３】
（収集工程）
次に、ウォータージェット２の高圧水Ｗａで切削されたアスベスト含有壁Ｗが高圧水Ｗａと混合された水含有処理材Ｄを収集する。
【００３４】
図３に示すように、水含有処理材Ｄは、切削対象箇所から落下する。建築物Ｂの下方には、建築物Ｂの周縁に密着し、建築物Ｂの周縁を沿うように、上方に開口した防水漕５Ｒ（処理材収集部）が設置される。防水漕５Ｒの外周の上端にはビニールシート５の下端縁５ｂが隙間なく接着される。そのため、切削対象箇所から落下した水含有処理材Ｄは、直接又は建築物Ｂ若しくはビニールシート５をつたい、防水漕５Ｒに誘導されて、防水漕５Ｒに溜められる。
【００３５】
防水漕５Ｒは、例えば、複数のコンクリートブロック又はＵ字溝を連結して骨格を形成して表面にウレタン塗装を施すことで形成されてもよく、ゴムシートで形成されてもよく、半割れ管で形成されてもよい。
【００３６】
（吸引回収工程）
次に、防水漕５Ｒに溜められた水含有処理材Ｄを、バキュームカー４により吸引し、隔離空間ＩＳから回収する。
【００３７】
バキュームカー４の吸引ホース４ａの吸引口４ｓが、導入工程において、防水漕５Ｒの底部に接触するように導入される。そのため、図３に示すように、吸引口４ｓは、防水漕５Ｒに水含有処理材Ｄが溜まった場合、水含有処理材Ｄに浸かる。
【００３８】
バキュームカー４のバキュームを起動させることにより、防水漕５Ｒに溜まった水含有処理材Ｄが、吸引口４ｓ及び吸引ホース４ａを介してバキュームカー４に吸引され、隔離空間ＩＳから回収される。
【００３９】
以上のような構成をとり運用される本実施形態のアスベスト含有壁の除去方法及びアスベスト含有壁除去システム１は、ウォータージェット２等の湿式除去手段によりアスベスト含有壁Ｗを切削するため、広範囲のアスベスト含有壁Ｗを素早く切削できる。また、高圧水Ｗａと削り取られたアスベスト含有壁Ｗとが混ざって生成される水含有処理材Ｄが、防水漕５Ｒにより受けられ、バキュームカー４の吸引口４ｓ等の吸引手段に誘導され、吸引手段により吸引されるため、大量の水含有処理材が素早く回収される。そのため、アスベスト含有壁Ｗの除去の施工範囲が広範囲となる場合に手間がかからない。
【００４０】
以上、本発明の一実施形態について説明したが、本発明の技術範囲は上記実施形態に限定されるものではなく、本発明の趣旨を逸脱しない範囲において構成要素の組み合わせを変えたり、各構成要素に種々の変更を加えたり、削除したりすることが可能である。
【００４１】
例えば、隔離空間ＩＳを、バキュームカー４等の吸引手段を用いて負圧としてもよい。隔離空間ＩＳを負圧とすることで、切削されたアスベスト含有壁Ｗの処理材が隔離空間ＩＳ外に飛散することを防止できる。また、水含有処理材Ｄの回収及び隔離空間ＩＳの負圧化をバキュームカー４等の吸引手段で一括して行うことで、水含有処理材Ｄの回収手段と隔離空間ＩＳの負圧化手段とに必要な系統が一系統となり、装置の規模を小さくし、コストを低くすることが可能である。
【００４２】
ビニールシート５を足場Ｆに固定してもよい。ビニールシート５を足場Ｆに固定することで、ビニールシート５の自重を支持することができ、ビニールシート５の自重によりビニールシート５と建築物Ｂとの接着が剥がれてしまうことが防止できる。
【００４３】
足場Ｆは設けられなくてもよい。建築物Ｂが高くない場合や、はしご車を用いた場合は、足場Ｆが設けられなくても建築物Ｂ全体のアスベスト含有壁Ｗの切削が可能である。
【００４４】
防水漕５Ｒは、地面Ｇに接していなくてもよく、建築物Ｂの中層部等の外周に設置されてもよい。
【符号の説明】
【００４５】
１  アスベスト含有壁除去システム
２  ウォータージェット（湿式除去手段）
２ｏ  噴射ノズル
３  高圧水生成車
３ａ  高圧水供給ホース
４  バキュームカー（吸引手段）
４ａ  吸引ホース
４ｓ  吸引口
５  ビニールシート（養生シート）
５ａ  上端縁
５ｂ  下端縁
５Ｒ  防水漕（処理材収集部）
５Ｓ  シール部
Ｂ  建築物
Ｆ  足場
Ｇ  地面
ＩＳ  隔離空間
Ｍ  作業員
Ｗ  アスベスト含有壁
Ｗａ  高圧水
【要約】
【課題】施工効率を向上させることで、施工にかかる手間や時間を低減できるアスベスト含有壁の除去方法及びアスベスト含有壁除去システムを提供する。
【解決手段】アスベスト含有壁の除去方法は、建築物Ｂのアスベスト含有壁Ｗを除去して回収するアスベスト含有壁の除去方法であって、建築物Ｂの外壁面と養生シート５とで密閉された隔離空間ＩＳを形成する隔離工程と、隔離空間ＩＳに高圧水Ｗａを噴射可能な湿式除去手段２及び固液混合物を吸引可能な吸引手段４を導入する導入工程と、湿式除去手段２を用いてアスベスト含有壁Ｗに高圧水Ｗａを噴射してアスベスト含有壁Ｗを削り取る切削工程と、高圧水Ｗａと削り取られたアスベスト含有壁Ｗとが混ざった水含有処理材を前記吸引手段に誘導し収集する収集工程と、前記吸引手段により前記水含有処理材を吸引して回収する吸引回収工程と、を有していることを特徴とする。
【選択図】図１【図１】
0006876780.tif 000002
【図２】
0006876780.tif 000003
【図３】
0006876780.tif 000004